【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
第１ガイドを有するカバーユニットと、
前記カバーユニットを開閉可能に支持するベースユニットであって、前記カバーユニットが前記ベースユニットに閉じられた状態で前記第１ガイドと共に搬送路を形成する第２ガイドを有するベースユニットと、
前記搬送路に沿ってシートを搬送するローラと、シート搬送方向に直交する幅方向に延出するアーム部を有し、前記ローラを回転可能に支持するホルダと、を有し、前記カバーユニットに対して着脱可能に支持されるローラユニットと、
前記幅方向において前記搬送路の外側に配置されると共に前記アーム部に当接可能に設けられ、回転することで前記ホルダを揺動させるカムと、
前記カバーユニットに開閉可能に支持され、閉状態で前記搬送路に対して前記アーム部の少なくとも一部を覆うカバー部材と、を備え、
前記カバー部材は、前記ローラユニットが前記カバーユニットから取り外される際に、前記アーム部に押圧されることで開かれる、
ことを特徴とするシート搬送装置。
【請求項２】
前記カバーユニットは、被係合部を有し、
前記ローラユニットは、前記ローラユニットが前記カバーユニットに装着された状態で前記被係合部に係合可能な係合部を有し、
前記係合部は、前記被係合部に係合可能な第１位置と、前記被係合部との係合を解除可能な第２位置と、に移動可能である、
ことを特徴とする請求項１に記載のシート搬送装置。
【請求項３】
前記ローラユニットは、前記係合部を有すると共に把持されることで前記係合部が前記第１位置から前記第２位置に弾性変形する把持部を更に備える、
ことを特徴とする請求項２に記載のシート搬送装置。
【請求項４】
前記カバー部材は、前記カバーユニットに対して回動可能に支持される、
ことを特徴とする請求項１乃至３のいずれか１項に記載のシート搬送装置。
【請求項５】
前記ローラは、シートを給送するピックアップローラであり、
前記ローラユニットは、前記ホルダを揺動可能に支持する回転軸と、前記回転軸に回転可能に支持され、前記ピックアップローラによって給送されたシートを搬送するフィードローラと、を有する、
ことを特徴とする請求項１乃至４のいずれか１項に記載のシート搬送装置。
【請求項６】
前記カバーユニットに回転可能に支持され、前記回転軸に対して連結及び離間可能なカップリングを備え、
前記カバー部材は、閉状態で前記搬送路に対して前記カップリングを覆う、
ことを特徴とする請求項５に記載のシート搬送装置。
【請求項７】
前記アーム部は、前記カップリングが前記回転軸に連結した状態で前記ローラユニットが前記カバーユニットから取り外される過程で、前記カバー部材に当接する、
ことを特徴とする請求項６に記載のシート搬送装置。
【請求項８】
前記カバーユニットは、前記ローラユニットが前記カバーユニットに対して取り外される取り外し方向における下流側が開口する開口部を有し、前記カバーユニットに装着された前記ローラユニットの前記回転軸を保持可能な保持部を備え、
前記カバー部材は、前記取り外し方向において前記アーム部の下流に配置されている、
ことを特徴とする請求項５乃至７のいずれか１項に記載のシート搬送装置。
【請求項９】
前記アーム部は、前記ローラユニットが前記カバーユニットに装着された状態から前記取り外し方向に移動する際に、前記回転軸が前記保持部から離間する前に前記カバー部材に当接する、
ことを特徴とする請求項８に記載のシート搬送装置。
【請求項１０】
前記カバーユニットは、前記ローラユニットが前記カバーユニットに対して取り外される取り外し方向における下流側が開口する開口部を有し、前記カバーユニットに装着された前記ローラユニットを保持可能な保持部を有し、
前記カバー部材は、前記取り外し方向において前記アーム部の下流に配置されている、
ことを特徴とする請求項１乃至７のいずれか１項に記載のシート搬送装置。
【請求項１１】
前記アーム部は、前記ローラユニットが前記カバーユニットに装着された状態から前記取り外し方向に移動する際に、前記ローラユニットが前記保持部から離間する前に前記カバー部材に当接する、
ことを特徴とする請求項１０に記載のシート搬送装置。
【請求項１２】
前記カバー部材は、閉状態で前記搬送路の一部を構成し、シートを案内する案内面を有する、
ことを特徴とする請求項１乃至１１のいずれか１項に記載のシート搬送装置。
【請求項１３】
前記アーム部は、前記カムに当接するカムフォロワを有し、
前記カムフォロワは、前記幅方向において前記搬送路の外側に配置される、
ことを特徴とする請求項１乃至１２のいずれか１項に記載のシート搬送装置。
【請求項１４】
前記カバー部材は、前記ベースユニットに向けて突出する突出部を有し、
前記カバー部材は、前記カバーユニットが前記ベースユニットに対して閉じられる際に、前記突出部が前記ベースユニットに当接することで閉状態となる、
ことを特徴とする請求項１乃至１３のいずれか１項に記載のシート搬送装置。
【請求項１５】
前記カムが固定されるカム軸と、
前記カム軸に設けられ、前記カム軸と一体に回転するフラグ部と、
前記フラグ部の位置に応じて検知信号を出力するセンサと、を更に備える、
ことを特徴とする請求項１乃至１４のいずれか１項に記載のシート搬送装置。
【請求項１６】
請求項１乃至１５のいずれか１項に記載のシート搬送装置と、
前記シート搬送装置によって搬送されているシートの画像を読み取り可能な読取ユニットと、を備えた、
ことを特徴とする画像読取装置。
【請求項１７】
請求項１６に記載の画像読取装置と、
シートに画像を形成する画像形成部と、を備える、
ことを特徴とする画像形成装置。
【手続補正２】
【補正対象書類名】明細書
【補正対象項目名】発明の名称
【補正方法】変更
【補正の内容】
【発明の名称】シート搬送装置、画像読取装置及び画像形成装置
【手続補正３】
【補正対象書類名】明細書
【補正対象項目名】０００１
【補正方法】変更
【補正の内容】
【０００１】
本発明は、シートを搬送するシート搬送装置並びにこれを備える画像読取装置及び画像形成装置に関する。
【手続補正４】
【補正対象書類名】明細書
【補正対象項目名】０００６
【補正方法】変更
【補正の内容】
【０００６】
そこで、本発明は、着脱ユニットを取り外す際にカバー部材が押圧されて開くように構成し、上述した課題を解決したシート搬送装置並びにこれを備えた画像読取装置及び画像形成装置を提供することを目的とする。
【手続補正５】
【補正対象書類名】明細書
【補正対象項目名】０００７
【補正方法】変更
【補正の内容】
【０００７】
本発明は、シート搬送装置において、第１ガイドを有するカバーユニットと、前記カバーユニットを開閉可能に支持するベースユニットであって、前記カバーユニットが前記ベースユニットに閉じられた状態で前記第１ガイドと共に搬送路を形成する第２ガイドを有するベースユニットと、前記搬送路に沿ってシートを搬送するローラと、シート搬送方向に直交する幅方向に延出するアーム部を有し、前記ローラを回転可能に支持するホルダと、を有し、前記カバーユニットに対して着脱可能に支持されるローラユニットと、前記幅方向において前記搬送路の外側に配置されると共に前記アーム部に当接可能に設けられ、回転することで前記ホルダを揺動させるカムと、前記カバーユニットに開閉可能に支持され、閉状態で前記搬送路に対して前記アーム部の少なくとも一部を覆うカバー部材と、を備え、前記カバー部材は、前記ローラユニットが前記カバーユニットから取り外される際に、前記アーム部に押圧されることで開かれる、ことを特徴とする。